(57)【要約】【課題】電動ベットの動力を利用して、ベットの付属品としてのリフト付ベットを提供する。【解決手段】この発明の患者移送装置は、電動により自動昇降可能な患者の介護用ベッドを跨ぐように設けられたベッドの長手方向両側の柱部、天井板部及び該柱部の上方中間部の渉り支持部材からなる鳥居状支持構造体と、上記渉り支持部材の両端が前記柱部に摺動可能であって、前記昇降可能な介護用ベッドの片側に一端が固着され、該支持構造体の天板状部に摺動可能に支持されたワイヤーを設け、該ワイヤーの他端を前記渉り支持部材に固定し、前記ベッドの昇降動作に伴って該ワイヤーが引っ張られることにより上記渉り支持部材を上下させ、上記渉り支持部材に懸架されたハンガー状の患者吊り具に前記患者全体または患者の身体の一部を載せてベッド上で昇降可能にする。【選択図】図１
2010172630.tif 000002
【特許請求の範囲】
【請求項１】
電動により自動昇降可能な、病弱者や寝たきり老人等の患者の介護用ベッド、該ベッドの端部に一端を固定した駆動部材（ワイヤーを含む。）、該駆動部材を支持するベッドと一体になった支柱に設けられた支点、該駆動部材の他端に結合された患者移送部材（リンク機構を含む。）からなり、上記ベッドの昇降により上記支点を介して前記駆動部材の他端が移動し、該移動によりこれと連結した患者移送部材が上下することにより、上記移送部材に懸架されたハンガー状の患者吊り具に載せた患者全体または一部をベッド上で昇降可能にしたことことを特徴とする患者移送装置。
【請求項２】
電動により自動昇降可能な、病弱者や寝たきり老人等の患者の介護用ベッドを跨ぐように設けられた該ベッドの長手方向両側の柱部、天井板部及び該柱部の上方中間部の渉り支持部材からなる鳥居状支持構造体と、上記渉り支持部材の両端が前記柱部に摺動可能であって、前記昇降可能な介護用ベッドの片側に一端が固着され、該支持構造体の天板状部に摺動可能に支持されたワイヤーを設け、該ワイヤーの他端を前記渉り支持部材に固定することにより、前記ベッドの昇降動作に伴って該ワイヤーが引っ張られることにより上記渉り支持部材を上下させ、上記渉り支持部材に懸架されたハンガー状の患者吊り具に前記患者全体または患者の身体の一部を載せてベッド上で昇降可能にしたことを特徴とする患者移送装置。
【請求項３】
前記ハンガー上の吊り具が前記渉り支持部材に移動可能に懸架され、患者を吊り具に載せて患者を懸架した状態でベッドの側方に移動可能にしたことを特徴とする前記請求項２記載の患者移送装置。
【請求項４】
前記ベッドの昇降動作に伴い前記渉り支持部材を上下方向に摺動可能にするワイヤーと共に、前記ベッドの昇降動作に伴い患者を懸架した状態で吊り具をベッドの横方向に移動可能にするワイヤーをさらに有することを特徴とする前記請求項３記載の患者移送装置。
【請求項５】
前記ワイヤーが２本あり、該２本のワイヤーで前記渉り支持部材を２ケ所で懸架することにより、前記渉り支持部材が前記柱部にスムーズに摺動可能となることを特徴とする前記請求項２記載の患者移送装置。
【請求項６】
前記吊り具として、患者の脚部のみを持ち上げる構造のものを用い、患者の脚部を持ち上げた状態でおむつ替えを行うことを特徴とする前記請求項１または２記載の患者移送装置。
【発明の詳細な説明】
【技術分野】
【０００１】
本発明は、電動ベッドを利用した病弱者や寝たきり老人等の移送装置に関する。
【背景技術】
【０００２】
自分で起き上がれなかったり、寝返り等も困難な病弱者や寝たきり老人の患者の介護は、介護者の肉体的負担が大きい。特に、車椅子からベッドへの移し替えや、入浴やおむつの交換等に際し、介護者は上記患者を抱えて起こす必要があり、その手間が大変である。
【０００３】
このため、従来介護用ベッド用の福祉用具として、床走行用のリフトとか、図１１や特開２００１−６１９０６号公報に示されるような、ベッドの上部に支柱を設け、これにレールを設けて該レールに患者を載せる吊り具を昇降させ移動するリフトを設けたものが知られている。また、図１０のものは、ベッドに固定式リフトを設け、車椅子等への移乗に使用されている。
【０００４】
しかし、このようなリフトは、介護者の負担を減らし、便利であるが、高価な設備投資が必要となる。特に、在宅介護の場合、大掛かりなリフト装置は設置の場所も無く、高価なため、設置することが困難である。
【０００５】
従って、このような居宅介護の日本におけるリフトの普及率は、住宅事情や、習憤により極めて低い。また、日本ではベット上で電動で起こして食事をし、又は、おむつ交換等の行為が行われているため、車椅子に乗せて食事をしたり、外の空気を吸う機会がまったくない状況にある。
【０００６】
スエーデンでは、電動ベットがないことで常に食事は車いすでテーブルに向かい食べさせたり、手軽に車椅子に乗せ外の空気を吸わせて季節を感じさせたり気分転換を図っている。その様な何気ない行為が、脳や、心肺機能の活性化につなげる事が出来る。従って、寝たきり状態がほとんど無いようである。
【０００７】
日本の場合には、要介護者がベット中心の生活で、食事、おむつ交換等が、ベット上で世話をしている。このように、ベットにいろいろな機能が付いている為にベット上で生活する事が多くなり、患者の機能低下を招いている。
【０００８】
また、おむつ交換や、シーツ交換においては何度も左右に動かし交換するので、ベットで下がったマットや体を引き上げたりする場合を含め、患者の移動が必要なときは人力で移動あるいは移乗する事になって介護者の肉体的負担が大きく、その腰が悲鳴を上げているのが実情である。
【先行技術文献】
【特許文献】
【０００９】
【特許文献１】特開２００１−６１９０６号公報
【非特許文献】
【００１０】
【非特許文献１】社団法人シルバーサービス振興会編、「福祉用具専門相談員研修用テキスト」、中央法規出版株式会社、２００５年６月５日発行
【発明の概要】
【発明が解決しようとする課題】
【００１１】
本発明は、電動ベットの動力を利用して、専用リフトを用いることなくベットの付属品としてのリフト付ベットを提供することを目的とする。
【課題を解決するための手段】
【００１２】
上記目的を達成するために、この発明の患者移送装置は、電動により自動昇降可能な、病弱者や寝たきり老人等の患者の介護用ベッド、該ベッドの端部に一端を固定した駆動部材（ワイヤーを含む。）、該駆動部材を支持するベッドと一体になった支柱に設けられた支点、該駆動部材の他端に結合された患者移送部材（リンク機構を含む。）からなり、上記ベッドの昇降により上記支点を介して前記駆動部材の他端が移動し、該移動によりこれと連結した患者移送部材が上下することにより、上記移送部材に懸架されたハンガー状の患者吊り具に載せた患者全体または一部をベッド上で昇降可能にしたことことを特徴とする。
【００１３】
あるいは、この発明の患者移送装置は、電動により自動昇降可能な、病弱者や寝たきり老人等の患者の介護用ベッドを跨ぐように設けられた該ベッドの長手方向両側の柱部、天井板部及び該柱部の上方中間部の渉り支持部材からなる鳥居状支持構造体と、上記渉り支持部材の両端が前記柱部に摺動可能であって、前記昇降可能な介護用ベッドの片側に一端が固着され、該支持構造体の天板状部に摺動可能に支持されたワイヤーを設け、該ワイヤーの他端を前記渉り支持部材に固定することにより、前記ベッドの昇降動作に伴って該ワイヤーが引っ張られることにより上記渉り支持部材を上下させ、上記渉り支持部材に懸架されたハンガー状の患者吊り具に前記患者全体または患者の身体の一部を載せてベッド上で昇降可能にしたことを特徴とする。
【００１４】
さらに、前記ハンガー上の吊り具が前記渉り支持部材に移動可能に懸架され、患者を吊り具に載せて患者を懸架した状態でベッドの側方に移動可能にしたことを特徴とする。この場合、前記ベッドの昇降動作に伴い前記渉り支持部材を上下方向に摺動可能にするワイヤーと共に、前記ベッドの昇降動作に伴い患者を懸架した状態で吊り具をベッドの横方向に移動可能にするワイヤーをさらに有することを特徴とする。
【００１５】
また、前記患者移送装置には、前記ワイヤーが２本あり、該２本のワイヤーで前記渉り支持部材を２ケ所で懸架することにより、前記渉り支持部材が前記柱部にスムーズに摺動可能となることを特徴とする。
【００１６】
あるいはさらに、前記患者移送装置の前記吊り具として、患者の脚部のみを持ち上げる構造のものを用い、患者の脚部を持ち上げた状態でおむつ替えを行うことを特徴とする。
【発明の効果】
【００１７】
本発明の自動昇降ベッドを利用したリフト付きベッドは、従来の専用リフトを必要とせず、安価で、利用者に馴染みやすい、ベットの付属品の感覚で利用できる効果がある。さらには、介護自体に、介護拒否や腰痛、あるいは介護給付の軽減に繋がり、本発明の自動昇降ベッドを利用したリフト付きベッドは、普及すると思われる。
【図面の簡単な説明】
【００１８】
【図１】本発明の電動ベットの動力を利用したベットの付属品としてのリフト付ベットの第１実施例の全体構造を示す図である。
【図２】本発明の電動ベットの動力を利用したベットの付属品としてのリフト付ベットの第１実施例の骨格の外観図である。
【図３】本発明の電動ベットの動力を利用したベットの付属品としてのリフト付ベットの第１実施例の部分詳細構造を示す図である。
【図４】図１の第１実施例の動作説明図である。
【図５】図１の正面から見た図である。
【図６】本発明の電動ベットの動力を利用したベットの付属品としてのリフト付ベットの第２実施例の全体斜視図である。
【図７】本発明の電動ベットの動力を利用したベットの付属品としてのリフト付ベットの第２実施例の側面詳細図である。
【図８】本発明の電動ベットの動力を利用したベットの付属品としてのリフト付ベットの第３実施例の全体斜視図である。
【図９】本発明の電動ベットの動力を利用したベットの付属品としてのリフト付ベットにより、患者の脚を持ち上げる場合の説明図である。
【図１０】従来のリフト付ベットの例を示す図である。
【図１１】従来のリフト付ベットの他の例を示す図である。
【図１２】患者吊り具の例を示す図である。
【発明を実施するための形態】
【００１９】
以下、本発明の実施の形態を図面に基づいて説明する。
【実施例１】
【００２０】
図１に、本発明の電動ベットの動力を利用したベットの付属品としてのリフト付ベットの第１実施例の全体構造を示す。また、図２に、図１の骨格の全体外観図を示す。
【００２１】
図１，図２において、１は電動ベッドであり、図示せぬ制御器によって電源オンーオフによりベッド１が上下する。電動により自動昇降可能なベッドは、病弱者や寝たきり老人等の患者の介護用ベッドとして多く用いられている。２はベッドを跨ぐように設けられた鳥居状支持構造体であり、該構造体２は、ベッドの長手方向両側の柱部３，３、天井板部４、支持構造体２の柱部３，３の上方中間部に設けられた渉り支持部材５から形成されている。上記渉り支持部材５は前記柱部３，３に回転部材を介して支持されており、該柱部３，３に上下に摺動可能となっている。
【００２２】
図３に上記図１の部分詳細構造図を示す。図３に示されるように、前記昇降可能な介護用ベッドの片側側部８に一端が固着され、前記柱部３の中、もしくは柱部に沿った外方に２本のワイヤー６，７が張られていて、該ワイヤー６，７は、前記柱部頂部付近の滑車１０を介して天井板４に沿って横方向に伸び、天井板に支持された滑車１０，１３により下方に垂れ下がる。該垂れ下がったワイヤー６，７の先端は、図３の１１に示されるように、前記柱部３に摺動可能な渉り支持部材５の上部に固定される。渉り支持部材５の下部には、ハンガー１５及び患者吊り具２１が懸架される。
【００２３】
支持構造体２の天板状部に摺動可能に支持されたワイヤー６，７は、前記ベッド１の昇降動作に伴って該ワイヤーが引っ張られたり、緩めたりすることにより上記渉り支持部材５を上下させ、上記渉り支持部材５に懸架されたハンガー状の患者吊り具２１に載せられた患者全体または患者身体の一部をベッド上で昇降可能にする。なお、このような患者吊り具は、図１２に示されるように、種々のものが知られている。図１２において、図１２（ａ）は、図１２（ｂ）の構造体の利用例であり、図１２（ｃ）は、図１２（ｄ）の構造体の利用例である。
【００２４】
例えば、図４，図５には、ベッド１から車椅子２０に（あるいは、その逆に）患者を移送する動作例を示す。
【００２５】
図６に示すように、ベッド上の患者２６は、患者吊り具２１に載せられて、前記電動ベッドの下降動作により上方に吊り上げられる（図５の１→１’により、５→５’となり、２６→２６’となる）。患者吊り具２１は、ハンガー１５（図３）に装着されており、ハ
ンガー１５と患者吊り具２１が一体となってハンガー状の吊り具を形成する。ハンガー１５は、図３の１２に示すように、その上端が前記渉り支持部材５の下部溝内で摺動可能なように滑車で該溝内に支持されているので、前記のように患者を吊り上げた状態で、該ハンガー状の吊り具を横方向に手で移動させることができる。
【００２６】
このようにして、図４の２２に示すように、患者をベッド上方から車椅子２０の上方に移動させ、再度電動ベッドを上げると、これに伴い前記ワイヤーが緩むこととなり、前記渉り支持部材５が下がり、患者が車椅子２０の上に降ろされることになる。
【００２７】
なお、該ハンガー状の吊り具の移動にも前記昇降ベッドに連結したワイヤーを用いて、電動による移動をさせてもよい。この場合、前記ベッドの昇降動作に伴い前記渉り支持部材５を上下方向に摺動可能にするワイヤーと共に、図示されないが、前記ベッドの昇降動作に伴い患者を懸架した状態でハンガー１５の上端をベッドの横方向に引っ張って移動可能にするワイヤーを有することとなる。
【実施例２】
【００２８】
図６，図７は、本発明の他の実施例を示す。図６，図７において、１は電動で昇降可能なベッド、３０は、該ベッドと一体になった支柱、その支柱３０のベッドの高さと一致する付近に第１の駆動部材３３の支点３２がある。図７に示す如く、第１の駆動部材３３の一端３８はベッドの端部に回動自在に固着される。駆動部材３３の他端３５にはリンクとなる第２の駆動部材３４が回動自在に結合される。
【００２９】
また、該第２の駆動部材３４の他端は第３の駆動部材３９に回動自在に結合され、従って、第１，第２，第３の駆動部材は、リンク機構を形成する。
【００３０】
第３の駆動部材３９は、支柱３０に対して摺動可能に支持されている。これにより、ベッド１が上下すると、該ベッドの上下に伴って第１の駆動部材３３の一端３８が上下し、これにより該駆動部材の他端３５が一端３８と逆方向に移動する。これによって、リンク機構３３，３４を介して第２の駆動部材３４が上下し、これに連結する第３の駆動部材３９が上下に移動する。
【００３１】
なお、ベッドの上下に伴う上記駆動部材３３の一端３８の移動を吸収するため、駆動部材には長孔が設けられていて、該端部３８は該長孔内を移動する。
【００３２】
第３の駆動部材３９の先端３６には、ハンガー支持部材３７がベッド上方に延在して設けられているので、ハンガー支持部材３７が上下することにより、前記実施例１と同様にハンガー状患者吊り具３８に患者を懸架させてベッドを下げれば患者を上方に引き上げることが可能となる（図７の１’→１により、３８’→３８となる）。
【００３３】
ハンガー支持部材３７は、水平方向に回動自在になっているので、患者を懸架した状態でベッドの上から、車椅子の上へ、あるいはその逆の動作が可能となる。
【実施例３】
【００３４】
図８には、本発明の他の実施例を示す。図８において、１は電動ベッド、４０は該ベッドに固定された第１の支柱、４１も該ベッド又は支柱４０に固定されたワイヤー用滑車４４を備えた第２の支柱、４８は第３の支柱であり、支柱４０内に摺動可能に収納されている。４２はワイヤーであて、一端４３がベッドに固着される。ワイヤー４２の他端は、上記支柱４８に固着されている。その構造は支柱４０の上部溝内で４６，４７に示すように上下に移動可能なワイヤー４２の留め具を有しており、該留め具４６，４７は、前記第３の支柱４８に固着されている。４９は、前記支柱４８上部に設けられた、水平方向に回動
可能なハンガー支持部材である。第２の支柱の先端４１には、前記ワイヤーを引っ掛ける滑車が設けられていて、前記のように、ワイヤー４２は該滑車を介して前記留め具に他端を固着させている。
【００３５】
従って、ベッド１が上下すると、ワイヤー４２が上下し、これに伴って、第３の支柱４８が前記支柱４０内で上下し、これによりハンガー支持部材４９も上下し、これに連結する患者吊り具４８が上下する（１’→１により、４７→４６となり、４８’→４８となる）。
【００３６】
ハンガー支持部材４９は水平方向に回動自在になっているので、患者を懸架した状態でベッドの上から車椅子の上へ、あるいはその逆の動作が可能となる。
【００３７】
図９は、患者５０の脚部を持ち上げて、おむつ交換をする場合のイメージ図を示す。図９（ａ）は、持ち上げる前の状態、図９（ｂ）は持ち上げた状態を示す。この場合の吊り具は、臀部５１，脚部５２を二本の吊り具５３，５４で時間差をおいて持ち上げる構造となっている。まず、吊り具５３で脚部を膝部分で持ち上げ、ある程度脚部が上昇したら、吊り具５４が臀部５１を少し持ち上げる。該動作により、患者のおむつ交換における介護者の肉体的負担が大きく軽減される。
【００３８】
なお、前記吊り具は、５６に示すように、多少脚部の幅より広めに設定すると、脚部が同図（ｂ）に示す如く外方向に開いてくれるのでおむつ交換がさらにやり易くなる。
【００３９】
図１２は、前記患者吊り下げ具の公知例を示す。図１２（ｂ）は、図１２（ａ）の如く用いられ、図１２（ｄ）は、図１２（ｃ）の如く用いられる。
【産業上の利用可能性】
【００４０】
従来の天井走行リフトは工事費を含めると１００万円を越すものもあり、据え置き型でも５０万円から８０万円ぐらいの販売価格で、床走行リフトでは３０万円台から５０万円台と高価なものとなっている。この発明のリフトは、現在使用されている電動ベットの動力により動かすものなので、１０万円から１５万円の低価格で実現出来ると思われる。
【００４１】
そして、ベットから車椅子に乗せること、ポータブルトイレに乗せること、訪問入浴に際しても、リフトを利用することにより、介護負担の軽減に繋がるものである。特にオムツ交換は膝を吊ることにより、オムツを腰の下まで入れる事が容易に出来るのでオムツ交換の負担が少ない。また、シーツ交換、やマットの引き上げ等が楽になり、これからの介護の軽減に繋がり、本発明の患者移送装置は、コストも安いので非常に有用な装置である。
【符号の説明】
【００４２】
１      電動ベッド
２      鳥居状支持構造体
３      柱部
４      天井部
５      渉り支持部材
６，７      ワイヤー
１５      ハンガー
２０      車椅子
２１      患者吊り具
３０      支柱
３３      駆動部材
３４      駆動部材
３７      ハンガー支持部材
３９      駆動部材
４０      支柱
４１      第２の支柱
４２      ワイヤー
４９      ハンガー支持部材
【図１】
2010172630.tif 000003
【図２】
2010172630.tif 000004
【図３】
2010172630.tif 000005
【図４】
2010172630.tif 000006
【図５】
2010172630.tif 000007
【図６】
2010172630.tif 000008
【図７】
2010172630.tif 000009
【図８】
2010172630.tif 000010
【図９】
2010172630.tif 000011
【図１０】
2010172630.tif 000012
【図１１】
2010172630.tif 000013
【図１２】
2010172630.tif 000014